(57)【特許請求の範囲】
【請求項１】
電力の投入・遮断を行う電力開閉装置と、この電力開閉装置を制御する有接点制御リレーと無接点制御リレーとを内蔵した配電盤の配線構造において、
前記配電盤のいずれか一方の側面に縦方向の第１縦型配線ダクトを設置するとともに、他方の側面に縦方向の第２縦型配線ダクトを設置し、前記配電盤へ前面側から挿入されるユニットの左右のいずれか一方の半分側に前記有接点制御リレーを取り付けるとともに、前記ユニットの左右のいずれか他方の半分側に前記無接点制御リレーを取り付け、前記ユニットの下側部分に横方向の第１横型配線ダクトを設け、前記有接点制御リレーの電線を前記第１横型配線ダクトを介して前記第１縦型配線ダクトに導いて収納するとともに、前記無接点制御リレーの電線を前記第１横型配線ダクトを介して前記第２縦型配線ダクトに導いて収納することを特徴とする配電盤の配線構造。
【請求項２】
前記第１横型配線ダクトを当該ユニットの構成部材を使って形成することを特徴とする請求項１に記載の配電盤の配線構造。
【請求項３】
電力の投入・遮断を行う電力開閉装置と、この電力開閉装置を制御する有接点制御リレーと無接点制御リレーとを内蔵した配電盤の配線構造において、
前記配電盤のいずれか一方の側面に縦方向の第１縦型配線ダクトを設置するとともに、他方の側面に縦方向の第２縦型配線ダクトを設置し、前記配電盤へ前面側から挿入されるユニットに前記有接点制御リレーと前記無接点制御リレーとを取り付け、前記ユニットの下側部分に横方向の第１横型配線ダクトを設けるとともに、前記ユニットの上側部分に横方向の第２横型配線ダクトを設け、前記有接点制御リレーの電線を前記第１横型配線ダクトまたは前記第２横型配線ダクトのいずれか一方のダクトを介して前記第１縦型配線ダクトに導いて収納するとともに、前記無接点制御リレーの電線を前記第１横型配線ダクトまたは前記第２横型配線ダクトのいずれか他方のダクトを介して前記第２縦型配線ダクトに導いて収納するものであって、前記第１横型配線ダクトを当該ユニットの構成部材を使って形成することを特徴とする配電盤の配線構造。
【請求項４】
電力の投入・遮断を行う電力開閉装置と、この電力開閉装置を制御する有接点制御リレーと無接点制御リレーとを内蔵した配電盤の配線構造において、
前記配電盤のいずれか一方の側面に縦方向の第１縦型配線ダクトを設置するとともに、他方の側面に縦方向の第２縦型配線ダクトを設置し、前記配電盤へ前面側から挿入されるユニットに前記有接点制御リレーと前記無接点制御リレーとを取り付け、前記ユニットの下側部分に横方向の第１横型配線ダクトを設けるとともに、前記ユニットの上側部分に横方向の第２横型配線ダクトを設け、前記有接点制御リレーの電線を前記第１横型配線ダクトまたは前記第２横型配線ダクトのいずれか一方のダクトを介して前記第１縦型配線ダクトに導いて収納するとともに、前記無接点制御リレーの電線を前記第１横型配線ダクトまたは前記第２横型配線ダクトのいずれか他方のダクトを介して前記第２縦型配線ダクトに導いて収納するものであって、前記第２横型配線ダクトを当該ユニットの構成部材を使って形成することを特徴とする配電盤の配線構造。
【発明の詳細な説明】
【０００１】
【発明の属する技術分野】
この発明は、電力開閉装置と制御用の有接点リレーや無接点リレー等を内蔵している配電盤の配線にノイズが影響するのを回避できる配電盤の配線構造に関する。
【０００２】
【従来の技術】
電源からの交流電力や直流電力を負荷へ供給し、あるいは遮断するのは、配電盤の重要な任務の一つである。この任務を遂行するために、配電盤には電力を開閉するための装置として遮断器や電磁接触器を設置すると共に、これら遮断器や電磁接触器を適切な時点で開閉させるための制御リレーなども収納している。例えば大きなプラントではこのような各種機器を収納している複数の配電盤を設置し、多数の電動機や各種電気機器を所定のプログラムに従って運転・停止させるのであるが、各配電盤に収納している各種制御リレーは、前記のプログラムを遂行するためのものである。
【０００３】
ところで制御が複雑化・高度化するのに従って、従来の制御に使用されていた接点式の制御リレーだけでは対応が困難になってきているので、最近では無接点制御リレーを接点式制御リレーと共に併用するようになってきている。すなわち制御の最終段階などで大きな制御電流を開閉する必要がある場合には有接点制御リレーを使用し、高速度であるいは高頻度で複雑な制御を行う部分は無接点制御リレーを使用するなど、両者を適切に使い分ける場合が多くなってきている。
【０００４】
図８は従来の配電盤の構造を透視して示した透視図である。この図８において、矢印方向が配電盤の前面であり、右側にヒンジを備えた扉１が設けてある。当該配電盤の右側面の内側には、太い実線で図示している縦型配線ダクト２が取り付けられていて、内部に収納している各機器間を接続する電線、あるいはこれらの機器と扉１に取り付けられている計器，操作スイッチ，表示器（図示せず）とを接続する電線を収納する。この縦型配線ダクト２は、例えばプラスチックなどの絶縁材料をコの字形に成形した長尺材を適当な長さに切断したものを、ねじなどで配電盤の内側に固定するが、必要に応じて蓋をすることもできる。
【０００５】
配電盤右側面の下側には扉１へ渡る電線のための端子ブロック３がある。この端子ブロック３は扉１のヒンジ側に設置しなければならないから、縦型配線ダクト２も端子ブロック３の近く、即ち配電盤の右側面に設けることになる。
【０００６】
【発明が解決しようとする課題】
ところで無接点制御リレーの動作電圧は一般に直流２４ボルトまたはそれよりも低い電圧であるから、制御回路にノイズが重畳すると誤動作する恐れがある。一方有接点制御リレーの動作電圧は一般に交流１００ボルトまたは直流１００ボルトであることが多いから、少々のノイズが重畳しても誤動作する恐れはない。また、有接点制御リレーは動作する際にノイズを発生する欠点がある。
【０００７】
前述したように、制御上の理由から、配電盤にはノイズにより誤動作する恐れが大きい無接点制御リレーと、動作時にノイズを発生する有接点制御リレーとが多数設置されており、これら各制御リレー間を多数の電線で接続している。これらの電線は、傷つけられないようにすることや保守・点検を容易にするためなどの理由で、配電盤内に設置する配線ダクトに収納して敷設するのが、一般的な配線方法である。例えば配電盤内を上下方向に敷設する電線は、図８に図示の縦型配線ダクト２に収納する。
【０００８】
ところで、２本の電線を平行して敷設する場合の平行敷設距離が長いほど、且つ平行している２本の電線の間隔が狭いほど、一方の電線に重畳されたノイズの他方の電線への誘導の程度が大になるのは周知である。従って縦型配線ダクト２にすべての電線を収納することにより、無接点制御リレーが誤動作する恐れを大きくすることになる。しかしながら配線ダクトとを使用せずに多数の電線を配電盤内に敷設するのは殆ど不可能である。
【０００９】
そこで無接点制御リレーがノイズで誤動作するのを防止するために種々の対策を講じる。例えば、（１）直流回路の接点間にコンデンサを接続する，（２）直流コイルにダイオードを並列接続する，などによりノイズの発生を抑制する。あるいは（３）往復する電線を捩じり合わせたツイスト電線を使用する，（４）シールド線を使用する，などによりノイズの誘導を抑制する。しかしこれらの対策はいずれも手間と費用がかかる欠点があるし、配線や追加する部品に大きなスペースが必要になるので、実施が困難であったり、配電盤寸法を大きくしなければならないなどの不具合もある。
【００１０】
そこでこの発明の目的は、ノイズに弱い機器とノイズを発生する機器とが混在している配電盤内部の配線構造を工夫することで、ノイズに弱い機器がノイズで誤動作するのを防止するものである。
【００１１】
【課題を解決するための手段】
前記の目的を達成するために、この発明の配電盤の配線構造は、電力の投入・遮断を行う電力開閉装置と、この電力開閉装置を制御する有接点制御リレーと無接点制御リレーとを内蔵した配電盤の配線構造において、前記配電盤のいずれか一方の側面に縦方向の第１縦型配線ダクトを設置するとともに、他方の側面に縦方向の第２縦型配線ダクトを設置し、前記配電盤へ前面側から挿入されるユニットの左右のいずれか一方の半分側に前記有接点制御リレーを取り付けるとともに、前記ユニットの左右のいずれか他方の半分側に前記無接点制御リレーを取り付け、前記ユニットの下側部分に横方向の第１横型配線ダクトを設け、前記有接点制御リレーの電線を前記第１横型配線ダクトを介して前記第１縦型配線ダクトに導いて収納するとともに、前記無接点制御リレーの電線を前記第１横型配線ダクトを介して前記第２縦型配線ダクトに導いて収納するものとする。
【００１２】
または、電力の投入・遮断を行う電力開閉装置と、この電力開閉装置を制御する有接点制御リレーと無接点制御リレーとを内蔵した配電盤の配線構造において、前記配電盤のいずれか一方の側面に縦方向の第１縦型配線ダクトを設置するとともに、他方の側面に縦方向の第２縦型配線ダクトを設置し、前記配電盤へ前面側から挿入されるユニットに前記有接点制御リレーと前記無接点制御リレーとを取り付け、前記ユニットの下側部分に横方向の第１横型配線ダクトを設けるとともに、前記ユニットの上側部分に横方向の第２横型配線ダクトを設け、前記有接点制御リレーの電線を前記第１横型配線ダクトまたは前記第２横型配線ダクトのいずれか一方のダクトを介して前記第１縦型配線ダクトに導いて収納するとともに、前記無接点制御リレーの電線を前記第１横型配線ダクトまたは前記第２横型配線ダクトのいずれか他方のダクトを介して前記第２縦型配線ダクトに導いて収納するものであって、前記第１横型配線ダクトまたは前記第２横型配線ダクトを当該ユニットの構成部材を使って形成するものとする。
【００１３】
【発明の実施の形態】
図１は本発明の第１実施例を表した配電盤の透視図である。この第１実施例では、扉１へ渡る電線のために扉１のヒンジ側に端子ブロック３を設けるのは図８で既述の従来例と同じであるが、この第１実施例では、配電盤右側面に第１縦型配線ダクト１１を設置し、左側面に第２縦型配線ダクト１２を設置する。ここで例えば第１縦型配線ダクト１１にはノイズに弱い回路の電線を収納することとし、ノイズに強い回路，あるいはノイズを発生する恐れが大きい回路の電線は第２縦型配線ダクト１２に収納することにすれば、第１縦型配線ダクト１１と第２縦型配線ダクト１２とは隔離されているので、第１縦型配線ダクト１１に収納した電線にノイズが誘導される恐れを回避することができる。なお、これら第１縦型配線ダクト１１と第２縦型配線ダクト１２は、図８で既述の縦型配線ダクト２と同じ構成である。
これら両ダクトの設置場所は右側面と左側面とに分離しなくても、隔離距離が十分であるならば、同一側面の前側と後側であっても差し支えないのは勿論である。
【００１４】
図２は本発明の第２実施例を表した配電盤の透視図である。この第２実施例では、扉１へ渡る電線のために扉１のヒンジ側に端子ブロック３を設けるのは図８で既述の従来例と同じであるが、配電盤右側面に第３縦型配線ダクト１３を設置し、左側面に第４縦型配線ダクト１４を設置する。ここで第３縦型配線ダクト１３と第４縦型配線ダクト１４は、配電盤の側面を構成する部材，又は側面を構成する補助部材を適切に加工することで電線を収納するスペースを確保するものである。図２の第２実施例では、側面を補強する部材がそのままで配線ダクトとなる構成になっている。
これら第３縦型配線ダクト１３と第４縦型配線ダクト１４は、前述の第１実施例と同様に、一方にはノイズに弱い回路の電線を収納し、他方にはノイズに強い回路あるいはノイズを発生する回路を収納する。
【００１５】
図３は本発明の第３実施例であって配電盤に収納するユニットの外観を表した外観図であるが、左側の図はユニットの正面を表し、右側の図はユニットの側面を表している。
図３に図示のユニットは、例えば図２または図３に図示の配電盤へ、前面側から挿入して固定する。図３の第３実施例では、ユニットの下側部分にプラスチックなどの絶縁材料をコの字形に成形した横型配線ダクト２１をねじなどで固定する。このユニットを正面から見た場合に、例えばユニットの右半分には無接点リレーを取り付け、左半分には有接点リレーを取り付けておき、無接点リレーからの電線は横型配線ダクト２１の右側に収納して配電盤右側面の第１縦型配線ダクト１１または第３縦型配線ダクト１３へと導き、有接点リレーからの電線は横型配線ダクト２１の左側に収納して配電盤左側面の第２縦型配線ダクト１２または第４縦型配線ダクト１４へ導けば、ノイズに弱い無接点リレーの配線にノイズが誘導される恐れを回避できる。
横型配線ダクト２１に収納していた電線をダクトから外へ出してユニットよりも下側へ押し下げれば、電線を取り外さなくても、このユニットを配電盤から簡単に引き出すことができる。
【００１６】
図４は本発明の第４実施例であって配電盤に収納するユニットを斜めから見た斜視図である。このユニットは、例えば図２または図３に図示の配電盤へ、前面側から挿入して固定するのであるが、矢印方向が前面であって、幅が狭く奥行きが深い形状である。このユニット下部には当該ユニットの構成部材を利用して横型配線ダクト２２が形成されている。この横型配線ダクト２２を利用した配線方法は、図３で既述の第３実施例の場合と同じであるから、その説明は省略する。
【００１７】
図５は本発明の第５実施例であって配電盤に収納するユニットの外観を表した外観図であるが、左側の図はユニットの正面を表し、右側の図はユニットの側面を表している。
図５に図示のユニットは、例えば図２または図３に図示の配電盤へ、前面側から挿入して固定する。図５の第５実施例では、ユニットの上側部分に第１横型配線ダクト２３を、下側部分に第２横型配線ダクト２４を取り付けるが、これらはプラスチックなどの絶縁材料をコの字形に成形したもので、ねじなどで固定する。ユニットには無接点リレーと有接点リレーとが混在することが多く、従ってその配線を同一の配線ダクトに収納するとノイズが誘導される度合いが大きくなる。そこでこれら第１横型配線ダクト２３と第２横型配線ダクト２４とを隔離して設置し、ノイズに弱い回路の電線は第１横型配線ダクト２３に収納して右方向に導き、ノイズに強い回路あるいはノイズを発生する回路の電線は第２横型配線ダクト２４に収納して左方向に導くようにする。
【００１８】
図６は本発明の第６実施例であって配電盤に収納するユニットを斜めから見た斜視図である。このユニットは、例えば図２または図３に図示の配電盤へ、前面側から挿入して固定するのであるが、矢印方向が前面であって、幅が狭く奥行きが深い形状である。このユニット上部には当該ユニットの構成部材を利用して第３横型配線ダクト２５が形成され、下部には当該ユニットの構成部材を利用して第４横型配線ダクト２６が形成されている。図５で既述の第５実施例と同様に、ノイズに弱い回路の電線は第３横型配線ダクト２５に収納して右方向に導き、ノイズに強い回路あるいはノイズを発生する回路の電線は第４横型配線ダクト２６に収納して左方向に導くようにする。
【００１９】
図７は本発明の第７実施例であって縦型配線ダクトと横型配線ダクトとの結合部を表した斜視図である。
前述したように、配電盤に挿入される第１ユニットからの電線を第２ユニットに導入するには、第１ユニットの横型配線ダクト→配電盤の縦型配線ダクト→第２ユニットの横型配線ダクトの経路を通る。例えば図４に図示のユニットに設けた横型配線ダクト２２に収納されている電線を、図３に図示の配電盤の右側面に設置した第３縦型配線ダクト１３へ導入する場合に、第３縦型配線ダクト１３の電線導入部分に縦型配線ダクト切欠き部３０を設けることで、横型配線ダクトからの電線導入作業を容易にすることができる。なお、３１はダクトカバーであって、必要に応じてダクトを覆うものである。
【００２０】
【発明の効果】
この発明によれば、配電盤には少なくとも２つの縦型配線ダクトを隔離して設置し、一方の縦型配線ダクトにはノイズに弱い回路の電線を収納し、他方の縦型配線ダクトにはノイズに強い回路の電線あるいはノイズを発生する回路の電線を収納することにより、ノイズに弱い機器の誤動作を回避できる効果が得られる。また、前述の構成の配電盤に収納するユニットには１つまたは２つの横型配線ダクトを設ける。横型配線ダクトが１つの場合はノイズに弱い回路を導く方向とは逆方向にノイズに強い回路を導くこととし、横型配線ダクトが２つの場合は一方にノイズに弱い回路の電線を収納し、他方にはノイズに強い回路の電線を収納することで、ノイズに弱い機器の誤動作を回避できる効果が得られる。
【図面の簡単な説明】
【図１】  本発明の第１実施例を表した配電盤の透視図
【図２】  本発明の第２実施例を表した配電盤の透視図
【図３】  本発明の第３実施例であって配電盤に収納するユニットの外観を表した外観図
【図４】  本発明の第４実施例であって配電盤に収納するユニットを斜めから見た斜視図
【図５】  本発明の第５実施例であって配電盤に収納するユニットの外観を表した外観図
【図６】  本発明の第６実施例であって配電盤に収納するユニットを斜めから見た斜視図
【図７】  本発明の第７実施例であって縦型配線ダクトと横型配線ダクトとの結合部を表した斜視図
【図８】  従来の配電盤の構造を透視して示した透視図
【符号の説明】
１          扉
２          縦型配線ダクト
３          端子ブロック
１１          第１縦型配線ダクト
１２          第２縦型配線ダクト
１３          第３縦型配線ダクト
１４          第４縦型配線ダクト
２１，２２    横型配線ダクト
２３          第１横型配線ダクト
２４          第２横型配線ダクト
２５          第３横型配線ダクト
２６          第４横型配線ダクト
３０          縦型配線ダクト切欠き部
３１          ダクトカバー
【図１】
0004193219.tif 000002
【図２】
0004193219.tif 000003
【図３】
0004193219.tif 000004
【図４】
0004193219.tif 000005
【図５】
0004193219.tif 000006
【図６】
0004193219.tif 000007
【図７】
0004193219.tif 000008
【図８】
0004193219.tif 000009